(57)【要約】  本発明は、マイクロ波アクセス方法とマルチサービス・トランスポート機器とを開示する。本発明は、通信技術に関係し、マイクロ波トランスポートの可用性を改善する。本発明は、マイクロ波エアインターフェイスの性能パラメータおよび／または状態パラメータが変化したかどうかを検出することと、マイクロ波エアインターフェイスの性能パラメータおよび／または状態パラメータが変化した場合、変化した性能パラメータおよび／または変化した状態パラメータに応じて動的帯域幅要求を生成し、動的帯域幅要求をマルチサービス・トランスポート・ネットワークの主制御ユニットへ送出することと、動的帯域幅要求に応じて主制御ユニットによって送出された動的帯域幅割り付け情報を受信することと、マイクロ波エアインターフェイスによって送信されたアップリンクマイクロ波信号を受信し、アップリンクサービス・データを取得するためにアップリンクマイクロ波信号にアップリンクサービス処理を実行し、動的帯域幅割り付け情報に応じてアップリンクサービス・データをマルチサービス・トランスポート・ネットワークへ伝送することと、を含む。本発明は、マルチサービス・トランスポート・ネットワークへのマイクロ波アクセスのプロセスに適用可能である。
2013516806.tif 000002
【特許請求の範囲】
【請求項１】
マイクロ波エアインターフェイスの性能パラメータおよび／または状態パラメータが変化したかどうかを検出し、前記性能パラメータおよび／または前記状態パラメータが変化した場合、前記変化した性能パラメータおよび／または前記変化した状態パラメータに応じて、サービスを送信するマイクロ波インターフェイスのための帯域幅要件情報を含む動的帯域幅要求を生成し、前記動的帯域幅要求をマルチサービス・トランスポート・ネットワークの主制御ユニットへ送出することと、
前記動的帯域幅要求に応じて、前記主制御ユニットによって送出された、前記マルチサービス・トランスポート・ネットワーク内の前記マイクロ波インターフェイスによって占有された伝送帯域幅に関する情報を含む動的帯域幅割り付け情報を受信することと、
前記マイクロ波エアインターフェイスによって送信されたアップリンクマイクロ波信号を受信し、アップリンクサービス・データを取得するために前記アップリンクマイクロ波信号にアップリンクサービス処理を実行し、前記動的帯域幅割り付け情報に応じて前記アップリンクサービス・データを前記マルチサービス・トランスポート・ネットワークへ伝送することと、
を備えるマイクロ波アクセス方法。
【請求項２】
前記マルチサービス・トランスポート・ネットワークによって前記マイクロ波エアインターフェイスへ伝送されたダウンリンクサービス・データを受信し、前記ダウンリンクサービス・データをダウンリンクマイクロ波信号に変換するために前記ダウンリンクサービス・データにダウンリンクサービス処理を実行し、前記ダウンリンクマイクロ波信号を送信することをさらに備える、請求項１に記載の方法。
【請求項３】
前記ダウンリンクサービス・データに前記ダウンリンクサービス処理を実行するとき、前記動的割り付け情報に応じて前記マイクロ波エアインターフェイスに対応する変調モードおよび／または送信電力を調節することをさらに備える、請求項２に記載の方法。
【請求項４】
前記マイクロ波エアインターフェイスによって送信されたアップリンクマイクロ波信号を受信し、アップリンクサービス・データを取得するために前記アップリンクマイクロ波信号にアップリンクサービス処理を実行し、前記動的帯域幅割り付け情報に応じて前記アップリンクサービス・データを前記マルチサービス・トランスポート・ネットワークへ伝送することは、具体的には、
前記マイクロ波エアインターフェイスによって伝送された前記アップリンクマイクロ波信号を受信し、アップリンク中間周波数信号を取得するために前記アップリンクマイクロ波信号を処理することと、
アップリンクマイクロ波フレームを取得するために、前記中間周波数信号を復調することと、
前記アップリンクサービス・データを取得するために前記アップリンクマイクロ波フレームを逆多重化することと、
前記動的帯域幅割り付け情報に応じて前記アップリンクサービス・データを前記マルチサービス・トランスポート・ネットワークへ伝送することと、
を備える、請求項１から３のうちのいずれか１項に記載の方法。
【請求項５】
前記ダウンリンクサービス・データをダウンリンクマイクロ波信号に変換するために前記ダウンリンクサービス・データにダウンリンクサービス処理を実行し、前記ダウンリンクマイクロ波信号を送信することは、具体的に、
前記ダウンリンクサービス・データをマイクロ波フレーム構造をもつダウンリンクデータに変換することと、
前記マイクロ波フレーム構造をもつ前記ダウンリンクデータをダウンリンク中間周波数信号に変調することと、
前記ダウンリンク中間周波数信号を前記ダウンリンクマイクロ波信号に変換し、前記ダウンリンクマイクロ波信号を送信することと、
を備える、請求項２または３に記載の方法。
【請求項６】
マイクロ波インターフェイスの性能パラメータおよび／または状態パラメータが変化したかどうかを検出するために構成されている検出ユニットと、
前記変化した性能パラメータおよび／または前記変化した状態パラメータに応じて、前記マイクロ波インターフェイスの送信サービスの帯域幅要件情報を含む動的帯域幅要求を生成し、前記動的帯域幅情報をマルチサービス・トランスポート・ネットワークの主制御ユニットへ送出するために構成され、前記動的帯域幅要求に応じて、前記マルチサービス・トランスポート・ネットワークの前記主制御ユニットによって送出された、前記マルチサービス・トランスポート・ネットワーク内の前記マイクロ波インターフェイスによって占有された伝送帯域幅情報を含む動的帯域幅割り付け情報を受信するためにさらに構成されている帯域幅要求ユニットと、
前記マイクロ波インターフェイスによって送信されたアップリンクマイクロ波信号を受信し、アップリンクサービス・データを取得するために前記アップリンクマイクロ波信号にアップリンクサービス処理を実行し、前記動的帯域幅割り付け情報に応じて前記アップリンクサービス・データを前記マルチサービス・トランスポート・ネットワークへ伝送するために構成されているマイクロ波トリビュタリユニットと、
を備える、マルチサービス・トランスポート機器。
【請求項７】
前記マイクロ波トリビュタリユニットは、前記マルチサービス・トランスポート・ネットワークによって前記マイクロ波エアインターフェイスへ伝送されたダウンリンクサービス・データを受信し、前記ダウンリンクサービス・データをダウンリンクマイクロ波信号に変換するため前記ダウンリンクサービス・データにダウンリンクサービス処理を実行し、前記ダウンリンクマイクロ波信号を送信するためにさらに構成されている、請求項６に記載の機器。
【請求項８】
前記マイクロ波トリビュタリユニットは、前記ダウンリンクサービス処理を前記ダウンリンクサービス・データに実行するとき、前記動的帯域幅割り付け情報に応じてマイクロ波エアインターフェイスに対応する変調モードおよび／または送信電力を調節するためにさらに構成されている、請求項７に記載の機器。
【請求項９】
前記マイクロ波トリビュタリユニットは、
前記マイクロ波エアインターフェイスによって送信された前記アップリンクマイクロ波信号を受信し、アップリンク中間周波数信号を取得するために前記アップリンクマイクロ波信号を処理するために構成されているマイクロ波受信モジュールと、
アップリンクマイクロ波フレームを取得するために、前記中間周波数信号を復調するために構成されている復調モジュールと、
前記アップリンクサービス・データを取得するために、前記アップリンクマイクロ波フレームを逆多重化するために構成されている逆多重化モジュールと、
前記動的帯域幅割り付け情報に応じて前記アップリンクサービス・データを前記マルチサービス・トランスポート・ネットワークへ伝送するために構成されている帯域幅制御モジュールと、
を備える、請求項６から８のうちのいずれか１項に記載の機器。
【請求項１０】
前記マイクロ波トリビュタリユニットは、
前記マルチサービス・トランスポート・ネットワークによって前記マイクロ波エアインターフェイスへ伝送された前記ダウンリンクサービス・データを受信し、前記ダウンリンクサービス・データをマイクロ波フレーム構造をもつ前記ダウンリンクデータに変換するために構成されている多重化モジュールと、
前記マイクロ波フレーム構造をもつ前記ダウンリンクデータをダウンリンク中間周波数信号に変調するために構成されている変調モジュールと、
前記ダウンリンク中間周波数信号を前記ダウンリンクマイクロ波信号に変換し、前記ダウンリンクマイクロ波信号を送信するためにさらに構成されているマイクロ波送信モジュールと、
をさらに備える、請求項７または８に記載の機器。
【発明の詳細な説明】
【技術分野】
【０００１】
本願は、２００９年１２月３１日付けで中国特許庁に出願された、“ＭＩＣＲＯＷＡＶＥ  ＡＣＣＥＳＳ  ＭＥＴＨＯＤ  ＡＮＤ  ＭＵＬＴＩ−ＳＥＲＶＩＣＥ  ＴＲＡＮＳＰＯＲＴ  ＤＥＶＩＣＥ”と題する中国特許出願第２００９１０２６０７５９．２号の優先権を主張し、この出願は、参照によって全体としてここに組み込まれる。
【０００２】
本発明は、通信分野に係わり、詳しくは、マイクロ波アクセス方法およびマルチサービス・トランスポート機器に関する。
【背景技術】
【０００３】
マイクロ波伝送は、光ファイバまたはケーブルを必要とせず、空中でデータを直接的に伝送するので、マイクロ波伝送は、都市、遠隔地域、または特別地域におけるエンジニアリングの点で利点がある。さらに、柔軟かつ便利なネットワーキングおよび使用法と、短いサービス提供期間と、マイクロ波技術の開発とが原因で、マイクロ波機器のコストは、非常に削減され、マイクロ波機器の広範な使用を実現し易くする。
【０００４】
ネットワーク層分離の減少と、中間処理の簡単化と、複数のタイプのサービス・データ上の管理および伝達の均一性とを特色として、近年出現したマルチサービス・トランスポート・ネットワークは、サービス・トランスポートにおいて果たす役割の重要性が増している。マイクロ波伝送とマルチサービス・トランスポート・ネットワークとをこれらの利点を活かすために組み合わせる方法は、業界の関心事になる。近年、マイクロ波機器およびＧＴＨ（ＧＥＭベース・トランスポート階層、ＧＥＭベース・トランスポート階層）機器は、独立した機器である。２台の機器間のサービス送信は、サービスランディング接続を使用し、すなわち、時分割多重化（ＴＤＭ）サービスがマイクロ波機器のマイクロ波フレームを解析することによって達成される。このとき、ＴＤＭサービスは、マルチサービス・トランスポート・ネットワーク機器のサービスインターフェイス（たとえば、イーサネット（登録商標）サービス用のＥｔｈインターフェイス）と適合するサービスフォーマット（ＥＴＨパケット）にカプセル化され、マルチサービス・トランスポート・ネットワーク機器へ送信される。マルチサービス・トランスポート・ネットワーク機器は、ＥＴＨパケットから原始ＴＤＭサービスをカプセル化解除し、ＴＤＭサービスを別の処理モジュールへ送出する。逆処理がマルチサービス・トランスポート・ネットワーク機器からマイクロ波機器へ送信されたサービスに実行される。ＴＤＭサービスがカプセル化解除され、再びカプセル化される先行処理は、「サービスランディング」と称される。
【発明の概要】
【発明が解決しようとする課題】
【０００５】
マイクロ波機器とマルチサービス・トランスポート・ネットワーク機器との間で先行通信を実施するプロセスでは、発明者は、従来技術が少なくとも以下の問題：マイクロ波機器とマルチサービス・トランスポート・ネットワーク機器との間通信は、ランディング接続を使用し、その結果、マルチサービス・トランスポート・ネットワーク機器は、マルチサービス・トランスポート・ネットワークにおけるマイクロ波エアインターフェイスによって伝送帯域幅をマイクロ波エアインターフェイスによって送信されたサービスによって要求される帯域幅に応じてマイクロ波エアインターフェイスにリアルタイムで割り付けることができない、という問題をもつことに気付いた。このことは、マルチサービス・トランスポート・ネットワークの帯域幅の使用法をある程度まで低減し、マイクロ波伝送の可用性を低減する。
【課題を解決するための手段】
【０００６】
発明の実施形態は、マイクロ波エアインターフェイスの性能パラメータおよび／または状態パラメータが変化したかどうかを検出し、性能パラメータおよび／または状態パラメータが変化した場合、変化した性能パラメータおよび／または変化した状態パラメータに応じて、サービスを送信するマイクロ波エアインターフェイスのための帯域幅要件情報を含む動的帯域幅要求を生成し、動的帯域幅要求をマルチサービス・トランスポート・ネットワークの主制御ユニットへ送出することと、
動的帯域幅要求に応じて、主制御ユニットによって送出された、マルチサービス・トランスポート・ネットワーク内のマイクロ波エアインターフェイスによって占有されたトランスポート帯域幅に関する情報を含む動的帯域幅割り付け情報を受信することと、
マイクロ波エアインターフェイスによって送信されたアップリンクマイクロ波信号を受信し、アップリンクサービス・データを取得するためにアップリンクマイクロ波信号にアップリンクサービス処理を実行し、動的帯域幅割り付け情報に応じてアップリンクサービス・データをマルチサービス・トランスポート・ネットワークへ伝送することと、
を含むマイクロ波アクセス方法を提供する。
【０００７】
本発明の実施形態は、マイクロ波エアインターフェイスの性能パラメータおよび／または状態パラメータが変化するかどうかを検出するために構成されている検出ユニットと、
変化した性能パラメータおよび／または変化した状態パラメータに応じて、サービスを送信するマイクロ波エアインターフェイスのための帯域幅要件情報を含む動的帯域幅要求を生成し、動的帯域幅情報をマルチサービス・トランスポート・ネットワークの主制御ユニットへ送出するために構成され、動的帯域幅要求に応じて、マルチサービス・トランスポート・ネットワークの主制御ユニットによって送出された、マルチサービス・トランスポート・ネットワーク内のマイクロ波エアインターフェイスによって占有された伝送帯域幅に関する情報を含む動的帯域幅割り付け情報を受信するためにさらに構成されている帯域幅要求ユニットと、
マイクロ波エアインターフェイスによって送信されたアップリンクマイクロ波信号を受信し、アップリンクサービス・データを取得するためにアップリンクマイクロ波信号にアップリンクサービス処理を実行し、動的帯域幅割り付け情報に応じてアップリンクサービス・データをマルチサービス・トランスポート・ネットワークへ伝送するために構成されているマイクロ波トリビュタリユニットと、
を含む。
【０００８】
本発明の技術的解決法では、マイクロ波エアインターフェイスによって送信されたアップリンクデータを処理するマイクロ波トリビュタリユニットは、マルチサービス・トランスポート機器に追加される。マイクロ波エアインターフェイスの性能パラメータおよび／または状態パラメータ上の変化が検出されたとき、動的帯域幅要求が変化した性能パラメータおよび／または変化した状態パラメータに応じて生成され、動的帯域幅要求がマルチサービス・トランスポート・ネットワークの主制御ユニットへ送出される。マルチサービス・トランスポート・ネットワークの主制御ユニットは、動的帯域幅要求に応じて、マルチサービス・トランスポート・ネットワーク内のマイクロ波エアインターフェイスによって使用される伝送帯域幅に関する情報を含む動的帯域幅割り付け情報を送出する。マイクロ波トリビュタリユニットは、アップリンクサービス・データを取得するためにアップリンクマイクロ波信号にアップリンクサービス処理を実行し、動的帯域幅割り付け情報に応じて、アップリンクサービス・データをマルチサービス・トランスポート・ネットワークへ送信する。これは、マイクロ波エアインターフェイスによって送信されたサービスのボリュームに応じてマルチサービス・トランスポート・ネットワーク内のマイクロ波エアインターフェイスによって占有された伝送帯域幅に関する情報のリアルタイム変更を実施し、マルチサービス・トランスポート・ネットワークの帯域幅の使用法をある程度まで改善し、マイクロ波伝送の可用性を改善する。
【０００９】
本発明の実施形態と従来技術の解決法とをより明瞭に説明するために、以下では、実施形態または従来技術における図面の簡単な説明を行う。以下の図面は、本発明のある特定の実施形態だけを含む。当業者が何ら創作を行うことなくこれらの図面に応じて他の図面を取得できることは、明らかである。
【図面の簡単な説明】
【００１０】
【図１】本発明の実施形態１によるマイクロ波アクセス方法のフローチャートである。
【図２】本発明の実施形態１によるマルチサービス・トランスポート機器の構成ブロック図である。
【図３】本発明の実施形態１による別のマルチサービス・トランスポート機器の構成ブロック図である。
【図４】本発明の実施形態２によるマルチサービス・トランスポート機器の内部構成概略図である。
【図５】本発明の実施形態２によるマイクロ波トリビュタリユニットの構成図である。
【図６】本発明の実施形態２による別のマイクロ波トリビュタリユニットの構成図である。
【発明を実施するための形態】
【００１１】
本発明の実施形態に提供された技術的解決法は、本発明の添付図面を参照して以下で明瞭に説明される。以下の実施形態が本発明の実施形態の一部に過ぎないことは、明らかである。本発明の実施形態に基づいて創作を行うことなく当業者によって達成される他のすべての実施形態は、本発明の保護範囲に含まれる。
【００１２】
本発明の目的、技術的解決法、および利点をより明瞭にするために、以下では、本発明の実施形態を添付図面と併せて詳細に説明する。
（実施形態１）
【００１３】
本発明の実施形態は、図１に示されるように、マイクロ波アクセス方法を提供する。この方法は、以下のステップを含む。
【００１４】
１０１：マイクロ波エアインターフェイスの機能パラメータおよび／または状態パラメータが変化したかどうかを検出する。
【００１５】
マイクロ波エアインターフェイスによって送信されたマイクロ波データを処理する機能モジュール、すなわち、マイクロ波トリビュタリユニットがマルチサービス・トランスポート機器（ＧＴＨ）に追加され、マルチサービス・トランスポート機器の他の機能モジュールと通信することがある。マイクロ波エアインターフェイスは、マイクロ波データを送信するマイクロ波物理リンクである。性能パラメータは、信号対雑音比、パケット損失率、ビット誤り率、およびＭＳＥ（Ｍｅａｎ  Ｓｑｕａｒｅ  Ｅｒｒｏｒ、平均平方誤差）でもよいがこれらに限定されることはなく、状態パラメータは、送信電力、受信電力、変調／復調モード、サービスタイプ、およびサービス・データ・ボリュームでもよいがこれらに限定されることはない。
【００１６】
１０２：マイクロ波エアインターフェイスの性能パラメータおよび／または状態パラメータが変化する場合、変化した性能パラメータおよび／または変化した状態パラメータに応じて、サービスを送信するマイクロ波エアインターフェイスのための帯域幅要件情報を含む動的帯域幅要求を生成し、動的帯域幅要求をマルチサービス・トランスポート・ネットワークの主制御ユニットへ送出する。
【００１７】
変化した性能パラメータおよび／または変化した状態パラメータに応じて動的帯域幅要求を生成し、動的帯域幅要求をマルチサービス・トランスポート・ネットワークの主制御ユニットへ送出することは、マルチサービス・トランスポート・ネットワークの主制御ユニットが動的帯域幅要求中の帯域幅要件情報に応じてマルチサービス・トランスポート・ネットワーク内のマイクロ波エアインターフェイスによって占有された伝送帯域幅をマイクロ波エアインターフェイスに割り付けることを可能にさせ、および／または、マルチサービス・トランスポート・ネットワークの主制御ユニットが、動的帯域幅要求中の帯域幅要件情報に応じて、マルチサービス・トランスポート・ネットワークの他のノードによってマイクロ波エアインターフェイスへ送出されたサービス・データによって占有された伝送帯域幅を制御することを可能にさせ、その結果、マルチサービス・トランスポート・ネットワークの他のノードによってマイクロ波エアインターフェイスへ送出されたサービス・データによって占有された伝送帯域幅は、マイクロ波エアインターフェイス上で利用できる最大サービス伝送帯域幅より大きくない。
【００１８】
マルチサービス・トランスポート・ネットワークの主制御ユニットは、伝送帯域幅をマルチサービス・トランスポート・ネットワークのすべてのノードに割り付けるために構成された装置であることに注意されたし。
【００１９】
１０３：動的帯域幅要求に応じて、マルチサービス・トランスポート・ネットワークの主制御ユニットによって送出された、マルチサービス・トランスポート・ネットワーク内のマイクロ波エアインターフェイスによって占有された伝送帯域幅に関する情報を含む動的帯域幅割り付け情報を受信し、その結果、マイクロ波エアインターフェイスによって占有された伝送帯域幅は、動的帯域幅情報に応じて調節され、制御され、アップリンクサービス・データは、調節された伝送帯域幅に応じてマルチサービス・トランスポート・ネットワークへ伝送される。
【００２０】
１０４：マイクロ波エアインターフェイスによって送信されたアップリンクマイクロ波信号を受信し、アップリンクサービス・データを取得するためにアップリンクマイクロ波信号にアップリンクサービス処理を実行し、動的帯域幅割り付け情報に応じてアップリンクサービス・データをマルチサービス・トランスポート・ネットワークへ伝送する。
【００２１】
本発明の実施形態において提供されたマルチサービス・トランスポート・ネットワークへのマイクロ波アクセス方法は、マルチサービス・トランスポート・ネットワークによってマイクロ波エアインターフェイスへ伝送されたダウンリンクサービス・データを受信し、ダウンリンクサービス・データをダウンリンクマイクロ波信号に変換するためにダウンリンクサービス・データにダウンリンクサービス処理を実行し、ダウンリンクマイクロ波信号を送信することをさらに含むことがある。
【００２２】
ダウンリンクサービス処理中に、マイクロ波エアインターフェイスに対応する変調モードおよび／または送信電力は、受信された動的帯域幅割り付け情報に応じて調節されることがある。
【００２３】
ステップ１０４では、アップリンクサービス・データを取得するためにアップリンクマイクロ波信号にアップリンクサービス処理を実行し、動的帯域幅割り付け情報に応じてアップリンクサービス・データをマルチサービス・トランスポート・ネットワークへ伝送することは、具体的には、マイクロ波エアインターフェイスによって送信されたアップリンクマイクロ波信号を受信し、アップリンク中間周波数信号を取得するためにアップリンクマイクロ波信号を処理することと、アップリンクマイクロ波フレームを取得するために中間周波数信号を変調することと、アップリンクサービス・データを取得するためにアップリンクマイクロ波フレームを逆多重化することと、動的帯域幅割り付け情報に応じてアップリンクサービス・データをマルチサービス・トランスポート・ネットワークへ伝送することとを含む。
【００２４】
本発明の実施形態におけるダウンリンクサービス処理は、具体的には、ダウンリンクサービス・データをマイクロ波フレーム構造をもつダウンリンクデータに変換することと、マイクロ波フレーム構造をもつダウンリンクデータをダウンリンク中間周波数信号に変調することと、ダウンリンク中間周波数信号をダウンリンクマイクロ波信号に変換することと、マイクロ波信号を送信することとを含む。
【００２５】
本発明の実施形態は、図２に示されるようなマルチサービス・トランスポート機器を提供する。この機器は、検出ユニット２１と、帯域幅要求ユニット２２と、マイクロ波トリビュタリユニット２３とを含む。
【００２６】
検出ユニット２１は、マイクロ波エアインターフェイスの性能パラメータおよび／または状態パラメータが変化したかどうかを検出するために構成されている。マイクロ波エアインターフェイスによって送信されたマイクロ波データを処理する機能モジュール、すなわち、マイクロ波トリビュタリユニットは、マルチサービス・トランスポート機器（ＧＴＨ）に追加され、マルチサービス・トランスポート機器の他の機能モジュールと通信することがあり、マイクロ波エアインターフェイスは、マイクロ波データを送信するマイクロ波物理リンクである。性能パラメータは、信号対雑音比、パケット損失率、および、ビット誤り率でもよいがこれらに限定されることはなく、状態パラメータは、送信電力、受信電力、変調／復調モード、サービスタイプ、およびサービス・データ・ボリュームでもよいがこれらに限定されることはない。
【００２７】
検出ユニット２１がマイクロ波エアインターフェイスの性能パラメータおよび／または状態パラメータが変化したことを検出したとき、帯域幅要求ユニット２２は、マイクロ波エアインターフェイスの変化した性能パラメータおよび／または変化した状態パラメータに応じて、動的帯域幅要求を生成し、動的帯域幅要求をマルチサービス・トランスポート・ネットワークの主制御ユニットへ送出するために構成されている。動的帯域幅要求は、サービスを送信するマイクロ波エアインターフェイスのための帯域幅要件情報を含み、このサービスは、マルチサービス・トランスポート・ネットワークの主制御ユニットが、動的帯域幅要求中の帯域幅要件情報に応じてマルチサービス・トランスポート・ネットワーク内のマイクロ波エアインターフェイスによって占有された伝送帯域幅をマイクロ波エアインターフェイスに割り付けることを可能にさせ、マルチサービス・トランスポート・ネットワークの主制御ユニットが、動的帯域幅要求中の帯域幅要件情報に応じて、マルチサービス・トランスポート・ネットワークの他のノードによってマイクロ波エアインターフェイスへ送出されたサービス・データによって占有された伝送帯域幅を制御することを可能にさせ、その結果、マルチサービス・トランスポート・ネットワークの他のノードによってマイクロ波エアインターフェイスへ送出されたサービス・データによって占有された伝送帯域幅は、マイクロ波エアインターフェイス上で利用可能な最大サービス伝送帯域幅より大きくない。
【００２８】
帯域幅要求ユニット２２は、動的帯域幅情報に応じてマルチサービス・トランスポート・ネットワークの主制御ユニットによって送出された、マルチサービス・トランスポート・ネットワーク内のマイクロ波エアインターフェイスによって占有された伝送帯域幅に関する情報を含む動的帯域幅割り付け情報を受信するためにさらに構成され、その結果、マイクロ波エアインターフェイスによって占有された伝送帯域幅は、動的帯域幅情報に応じて調節され、制御され、アップリンクサービス・データは、調節された伝送帯域幅に応じてマルチサービス・トランスポート・ネットワークへ伝送される。
【００２９】
マイクロ波トリビュタリユニット２３は、マイクロ波エアインターフェイスによって送信されたアップリンクマイクロ波信号を受信し、アップリンクサービス・データを取得するためにアップリンクマイクロ波信号にアップリンクサービス処理を実行し、動的帯域幅割り付け情報に応じてアップリンクサービス・データをマルチサービス・トランスポート・ネットワークへ伝送する。
【００３０】
マイクロ波トリビュタリユニット２３は、マルチサービス・トランスポート・ネットワークによってマイクロ波エアインターフェイスへ伝送されたダウンリンクサービス・データを受信し、ダウンリンクサービス・データをダウンリンクマイクロ波信号に変換するためダウンリンクサービス・データにダウンリングサービス処理を実行し、ダウンリンクマイクロ波信号を送信するためにさらに構成されている。マイクロ波トリビュタリユニット２３は、ダウンリンクサービス・データにダウンリンクサービス処理を実行し、帯域幅要求ユニット２２によって受信された動的帯域幅割り付け情報に応じてマイクロ波エアインターフェイスに対応する変調モードおよび／または送信電力を調節するためにさらに構成されている。
【００３１】
図３に示されるように、マイクロ波トリビュタリユニット２３は、マイクロ波受信モジュール２３１と、復調モジュール２３２と、逆多重化モジュール２３３と、帯域幅制御モジュール２３４とを含む。
【００３２】
マイクロ波トリビュタリユニット２３がマイクロ波エアインターフェイスによって送信されたアップリンクマイクロ波信号を受信し、アップリンクサービス・データを取得するためにアップリンクマイクロ波信号にアップリンクサービス処理を実行し、動的帯域幅割り付け情報に応じてアップリンクサービス・データをマルチサービス・トランスポート・ネットワークへ伝送するプロセスの間に、マイクロ波受信ユニット２３１は、マイクロ波エアインターフェイスによって送信されたアップリンクマイクロ波信号を受信し、アップリンク中間周波数信号を取得するためアップリンクマイクロ波信号を処理するために構成され、復調モジュール２３２は、アップリンクマイクロ波フレームを取得するため、マイクロ波受信モジュール２３１によって取得された中間周波数信号を復調するために構成され、逆多重化モジュール２３３は、アップリンクサービス・データを取得するため、復調モジュール２３２によって取得されたアップリンクマイクロ波フレームを逆多重化するために構成され、帯域幅制御モジュール２３４は、動的帯域幅割り付け情報に応じて逆多重化モジュール２３３によって取得されたアップリンクサービス・データをマルチサービス・トランスポート・ネットワークへ伝送するために構成されている。
【００３３】
図３に示されるように、マイクロ波トリビュタリユニット２３は、多重化モジュール２３５と、変調モジュール２３６と、マイクロ波送信モジュール２３７とをさらに含む。
【００３４】
多重化モジュール２３５は、マルチサービス・トランスポート・ネットワークによってマイクロ波エアインターフェイスへ伝送されたダウンリンクサービス・データを受信し、ダウンリンクサービス・データをマイクロ波フレーム構造をもつダウンリンクデータに変換するために構成され、変調モジュール２３６は、多重化モジュール２３５によって取得されたマイクロ波フレーム構造をもつダウンリンクデータをダウンリンク中間周波数信号に変調するために構成され、マイクロ波送信モジュール２３７は、変調モジュール２３６によって取得されたダウンリンク中間周波数信号をダウンリンクマイクロ波信号に変換し、ダウンリンクマイクロ波信号を送信するために構成されている。
【００３５】
マイクロ波トリビュタリユニット２３がダウンリンクサービス・データにダウンリンクサービス処理を実行するときに、動的帯域幅割り付け情報に従うマイクロ波エアインターフェイスに対応する変調モードおよび／または送信電力の調節は、具体的には、以下の通りである。１）帯域幅要求ユニット２２によって受信された動的帯域幅割り付け情報に応じて、変調モジュール２３６は、この変調モジュールの変調モードを調節し、調節された変調モードに応じて、多重化モジュール２３５によって取得されたマイクロ波フレーム構造をもつダウンリンクデータをダウンリンク中間周波数信号に変調し、２）帯域幅要求ユニット４２によって受信された動的帯域幅割り付け情報に応じて、マイクロ波送信モジュール２３７は、このマイクロ波送信モジュールの送信電力を調節し、調節された送信電力に応じてダウンリンクマイクロ波信号を送信し、３）帯域幅要求ユニット２２によって受信された動的帯域幅割り付け情報に応じて、変調モジュール２３６は、この変調モジュールの変調モードを調節し、その一方で、マイクロ波送信モジュール２３７は、このマイクロ波送信モジュールの送信電力を調節する。
【００３６】
本発明の実施形態では、マイクロ波エアインターフェイスによって送信されたデータを処理するマイクロ波トリビュタリユニットは、マルチサービス・トランスポート機器に追加される。マイクロ波エアインターフェイスの性能パラメータおよび／または状態パラメータの変化が検出されたとき、動的帯域幅要求が変化した性能パラメータおよび／または変化した状態パラメータに応じて生成され、動的帯域幅要求がマルチサービス・トランスポート・ネットワークの主制御ユニットへ送出される。マルチサービス・トランスポート・ネットワークの主制御ユニットは、動的帯域幅要求に応じて、マルチサービス・トランスポート・ネットワーク内のマイクロ波エアインターフェイスによって占有された伝送帯域幅に関する情報を含む動的帯域幅割り付け情報を送出する。マイクロ波トリビュタリユニットは、アップリンクサービス・データを取得するためにアップリンクマイクロ波信号にアップリンクサービス処理を実行し、動的帯域幅割り付け情報に応じてアップリンクサービス・データをマルチサービス・トランスポート・ネットワークへ送出する。これは、マイクロ波エアインターフェイスによって送信されたサービスのボリュームに応じてマルチサービス・トランスポート・ネットワーク内のマイクロ波エアインターフェイスによって占有された伝送帯域幅のリアルタイム変更を実施し、マルチサービス・トランスポート・ネットワークの帯域幅の使用法をある程度まで改善し、マイクロ波伝送の可用性を改善する。
（実施形態２）
【００３７】
本実施形態では、マルチサービス・トランスポート・ネットワーク（ＧＴＨ）へのマイクロ波アクセス方法とマルチサービス・トランスポート機器とは、図４、図５、および図６を参照してさらに説明される。
【００３８】
本発明の実施形態で提供されたマルチサービス・トランスポート機器は、既存のマルチサービス・トランスポート（ＧＴＨ）機器と比較して、図４に示されるように、追加されたマイクロ波トリビュタリユニットである。
【００３９】
ＧＴＨ機器は、すべてのタイプのトリビュタリユニット、たとえば、ＳＤＨ（Ｓｙｎｃｈｒｏｎｏｕｓ  Ｄｉｇｉｔａｌ  Ｈｉｅｒａｒｃｈｙ、同期デジタルハイアラーキ）インターフェイスのトリビュタリユニットと、ＰＤＨ（Ｐｌｅｉｓｏｃｈｒｏｎｏｕｓ  Ｄｉｇｉｔａｌ  Ｈｉｅｒａｒｃｈｙ、従属同期デジタルハイアラーキ）インターフェイスのトリビュタリユニットとを有する。すべてのトリビュタリユニットは、マルチサービス・トランスポート・ネットワークへの対応するタイプのサービスのアクセスを実施する。図４に示されるように、すべてのタイプのトリビュタリユニットがサービスをＧＴＨ機器の他のモジュールに送信するとき、ＧＥＭ（Ｇ−ＰＯＮ  Ｅｎｃａｐｓｕｌａｔｉｏｎ  Ｍｅｔｈｏｄ、Ｇ−ＰＯＮ（Ｇｉｇａｂｉｔ−Ｃａｐａｂｌｅ  Ｐａｓｓｉｖｅ  Ｏｐｔｉｃａｌ  Ｎｅｔｗｏｒｋ、ギガビット受動光ネットワーク）カプセル化法）を使用してカプセル化されたサービス・データ、または、Ｔ−ＣＯＮＴ（Ｔｒａｎｓｍｉｓｓｉｏｎ  Ｃｏｎｔａｉｎｅｒ、送信コンテナ）フォーマットのデータが使用されてもよく、実際に使用されるデータは、ＧＴＨ機器のクロスコネクト／スイッチユニットに応じて決定されてもよい。
【００４０】
たとえば、ＧＴＨ機器のクロスコネクト／スイッチユニットがＧＥＭインターフェイスを使用するとき、マイクロ波トリビュタリユニットは、Ｔ−ＣＯＮＴ処理ユニットを必要とすることなく、ＧＴＨ機器のクロスコネクト／スイッチユニットがＴ−ＣＯＮＴインターフェイスを使用するとき、マイクロ波トリビュタリユニットは、Ｔ−ＣＯＮＴ処理ユニットを必要とし、その結果、すべてのトリビュタリユニットとＧＴＨ機器の内部のクロスコネクト／スイッチユニットとの間のインターフェイスは、一貫性があり、クロスコネクト能力のフレキシブルな構成を実現し易くする。
【００４１】
図５は、マイクロ波トリビュタリユニットの概略構成図を示す。マイクロ波トリビュタリユニットは、ＩＦ／ＲＦ／ＲＯＦ（Ｉｎｔｅｒｍｅｄｉａｔｅ  Ｆｒｅｑｕｅｎｃｙ／Ｒａｄｉｏ  Ｆｒｅｑｕｅｎｃｙ／Ｒａｄｉｏ  ｏｖｅｒ  Ｆｉｂｅｒ、中間周波数／無線周波数／光ファイバ無線）モジュールと、復調モジュールと、マイクロ波フレーム逆多重化モジュールと、帯域幅制御モジュールと、マイクロ波多重化モジュールと、変調モジュールとを含む。
【００４２】
ＩＦ／ＲＦ／ＲＯＦモジュールと、復調モジュールと、マイクロ波逆多重化モジュールと、帯域幅制御モジュールとは、マイクロ波エアインターフェイスによって送信されたアップリンクマイクロ波信号にアップリンクサービス処理を実行し、クロスコネクト／スイッチユニットを介して、アップリンクサービス処理を介して取得されたアップリンクサービス・データをマルチサービス／トランスポート／ネットワークへ伝送するために一体となって働く。マイクロ波フレーム多重化モジュールと、変調モジュールと、ＩＦ／ＲＦ／ＲＯＦモジュールとは、マルチサービス・トランスポート・ネットワークによってクロスコネクト／スイッチユニットを介してマイクロ波エアインターフェイスへ伝送されたダウンリンクサービス・データにダウンリンクサービス処理を実行し、ダウンリンクサービス処理を介して取得されたダウンリンクマイクロ波信号を送信するために一体となって働く。
【００４３】
ＩＦ／ＲＦ／ＲＯＦモジュールは、中間周波数／無線周波数／光ファイバ無線送信技術の処理機能を有している。アップリンク方向で、ＩＦ／ＲＦ／ＲＯＦモジュールは、アップリンクマイクロ波信号を受信し、中間周波数信号を取得するために受信アップリンクマイクロ波信号を処理し、中間周波数信号を復調のため復調モジュールへ送出する。中間周波数信号を取得するために、受信アップリンクマイクロ波信号を処理するＩＦ／ＲＦ／ＲＯＦモジュールのための方法は、従来技術における方法でもよく、本発明に限定されない。
【００４４】
アップリンク方向では、復調モジュールは、ＩＦ／ＲＦ／ＲＯＦモジュールによって送出された中間周波数信号を受信し、すべてのデジタル信号のアップリンクマイクロ波フレームを取得するため受信中間周波数信号を復調し、すべてのデジタル信号のアップリンクマイクロ波フレームをマイクロ波フレーム逆多重化ユニットへ送出するために構成されている。
【００４５】
アップリンク方向では、マイクロ波フレーム逆多重化モジュールは、アップリンクサービス・データを取得するために変調モジュールによって送出されたすべてのデジタル信号のアップリンクマイクロ波フレームを逆多重化し、取得されたアップリンクサービス・データをマルチサービス・トランスポート機器のクロスコネクト／スイッチユニットへ送出する。クロスコネクト／スイッチユニットは、アップリンクサービス・データをマルチサービス・トランスポート・ネットワークへ伝送する。その結果、マルチサービス・トランスポート・ネットワークへのマイクロ波アクセスが実施される。マイクロ波フレーム逆多重化モジュールは、ＧＥＭフレームフォーマットまたはＴ−ＣＯＮＴフレームフォーマットのアップリンクサービス・データでもよいアップリンクサービス・データを取得するためにアップリンクマイクロ波フレームを逆多重化する。アップリンクサービス・データのフォーマットは、ピアマイクロ波機器がアップリンクマイクロ波サービス・データを送出したときに使用されるカプセル化フォーマットに依存する。ピアマイクロ波機器がＧＥＭフレームフォーマットでアップリンクマイクロ波サービス・データを送出する場合、マイクロ波フレーム逆多重化モジュールによる逆多重化後に取得されたアップリンクサービス・データは、ＧＥＭフレームフォーマットであり、ピアマイクロ波機器がＴ−ＣＯＮＴフレームフォーマットでアップリンクマイクロ波サービス・データを送出する場合、マイクロ波フレーム逆多重化モジュールによる逆多重化後に取得されたアップリンクサービス・データは、Ｔ−ＣＯＮＴフレームフォーマットである。
【００４６】
アップリンク方向では、帯域幅制御モジュールは、マルチサービス・トランスポート・ネットワークの主制御ユニットによって送出されたすべてのサービスタイプの帯域幅割り付け情報に応じてすべてのサービスタイプのための帯域幅を割り付け、マイクロ波フレーム逆多重化モジュールによって送出されたアップリンクサービス・データのボリュームに応じて対応する帯域幅を割り付け、その結果、アップリンクサービス・データがマルチサービス・トランスポート・ネットワークへ送出される。
【００４７】
ダウンリンク方向では、マイクロ波多重化モジュールは、マルチサービス・トランスポート・ネットワークによってマイクロ波エアインターフェイスへ伝送されたダウンリンクサービス・データをマイクロ波フレーム構造をもつダウンリンクデータに変換し、マイクロ波フレーム構造をもつダウンリンクデータを変調モジュールへ送信する。
【００４８】
ダウンリンク方向では、変調モジュールは、マイクロ波フレーム多重化モジュールによって送出されたマイクロ波フレーム構造をもつダウンリンクデータを受信し、中間周波数信号を取得するために受信ダウンリンクデータを変調し、中間周波数信号をさらなる処理のためのＩＦ／ＲＦ／ＲＯＦモジュールへ送出する。
【００４９】
ダウンリンク方向では、ＩＦ／ＲＦ／ＲＯＦモジュールは、変調モジュールによって変調された中間周波数信号を受信し、ダウンリンクマイクロ波信号を取得するために中間周波数信号を処理し、外部インターフェイスに接続されたマイクロ波アンテナを介してダウンリンクマイクロ波信号を送信し、その結果、ピアマイクロ波機器は、マルチサービス・トランスポート・ネットワークによって送信されたダウンリンクサービス・データを受信することができる。
【００５０】
本発明の実施形態において提供されるマルチサービス・トランスポート・ネットワークへのマイクロ波アクセス方法は、図４および図５を参照してさらに説明される。
【００５１】
アップリンク方向では、マイクロ波トリビュタリユニットは、マイクロ波エアインターフェイスによって送信されたアップリンクマイクロ波信号を受信し、アップリンクサービス・データを取得するためにアップリンクサービス処理を実行する。アップリンクサービス処理は、具体的には、以下を含む。ＩＦ／ＲＦ／ＲＯＦモジュールは、マイクロ波エアインターフェイスによって送信されたアップリンクマイクロ波信号を受信し、中間周波数信号を取得するためにアップリンクマイクロ波信号を処理し、復調モジュールは、アップリンクマイクロ波フレームを取得するために中間周波数信号を復調し、マイクロ波フレーム逆多重化モジュールは、アップリンクサービス・データを取得するためにアップリンクマイクロ波フレームを逆多重化し、帯域幅制御モジュールは、アップリンクサービス・データをマルチサービス・トランスポート・ネットワークへ送出するように、マイクロ波逆多重化モジュールによって取得されたアップリンクサービス・データに対し、マルチサービス・トランスポート・ネットワークの主制御ユニットによって送出されたすべてのタイプのサービスの帯域幅割り付け情報に応じて、対応する帯域幅を割り付ける。
【００５２】
マイクロ波トリビュタリユニットが受信アップリンクマイクロ波信号にアップリンクサービス処理を実行するプロセスの間に、検出ユニットは、マイクロ波トリビュタリユニットに対応するマイクロ波エアインターフェイスの性能パラメータおよび／または状態パラメータを検出することができる。このプロセスは、具体的に、以下の通りでもよい。
【００５３】
ピアマイクロ波機器によって送出されたアップリンクマイクロ波信号を受信するとき、ＩＦ／ＲＦ／ＲＯＦモジュールは、マイクロ波エアインターフェイスに対応する受信電力を検出することができ、受信アップリンクマイクロ波信号を復調するとき、復調モジュールは、変調／復調モード、ビット誤り率、およびＭＳＥ（Ｍｅａｎ  Ｓｑｕａｒｅｄ  Ｅｒｒｏｒ、平均平方誤差）といったマイクロ波エアインターフェイスの対応するパラメータを検出することができる。復調によって取得されたデータにマイクロ波フレーム逆多重化を実行した後、マイクロ波フレーム逆多重化モジュールは、マイクロ波エアインターフェイスによって送信されたサービス・データを取得し、このサービス・データに応じて、マイクロ波逆多重化モジュールは、サービス・データ・ボリューム、サービスタイプ、およびパケット損失率を含むパラメータを検出することができる。
【００５４】
上記の検出された性能パラメータおよび／または状態パラメータが以下の条件：１）上記性能パラメータのうちの１個または数個が予め構成された性能パラメータと比べて変化しているか、または、変化した性能パラメータがプリセットされた性能パラメータスレッショルドを超えることと、２）上記状態パラメータのうちの１個または数個が予め構成された性能パラメータと比べて変化しているか、または、変化した状態パラメータがプリセットされた状態パラメータスレッショルドを超えることと、３）上記状態パラメータおよび上記性能パラメータが予め構成された状態パラメータおよび性能パラメータを切り替えることとのうちの１つを満たすとき、動的帯域幅要求の生成が始動され、動的帯域幅要求がマルチサービス・トランスポート・ユニットの主制御ユニットへ送出される。
【００５５】
マルチサービス・トランスポート・ネットワークの主制御ユニットへ送出された動的帯域幅要求は、変化した性能パラメータおよび／または変化した状態パラメータに応じて計算された、サービスを送信するマイクロ波エアインターフェイスのための帯域幅要件情報を含む。マイクロ波通信では、マイクロ波エアインターフェイスの帯域幅は予め構成され、マイクロ波エアインターフェイスの性能パラメータおよび状態パラメータと適合させて構成される。マイクロ波エアインターフェイスの性能パラメータおよび状態パラメータを検出することにより、性能パラメータおよび状態パラメータと適合させて予め構成された帯域幅情報に問い合わせることが可能であり、サービスを送信するマイクロ波エアインターフェイスのための帯域幅要件情報が計算される。たとえば、マイクロ波エアインターフェイスに対応する変調モードが１６ＱＡＭ変調フォーマットであるとき、マイクロ波エアインターフェイスの予め構成された帯域幅は、１００Ｍであり、マイクロ波エアインターフェイスに対応する変調モードが６４ＱＡＭ変調であるとき、マイクロ波エアインターフェイスの予め構成された帯域幅は、４００Ｍである。マイクロ波エアインターフェイスに対応する対応する変調モードが１６ＱＡＭ変調フォーマットであると検出したとき、これは、マイクロ波サービス送信帯域幅が１００Ｍであることと、マイクロ波送信サービスがマルチサービス・トランスポート・ネットワークにアクセスするときに、サービスがマルチサービス・トランスポート・ネットワーク内の１００Ｍ伝送帯域幅を占有することとを指示する。１００Ｍ帯域幅要件情報が伝送帯域幅の割り付けのため動的帯域幅要求を通じてマルチサービス・トランスポート・ネットワークの主制御ユニットへ送信される。別の性能パラメータおよび別の状態パラメータに応じてサービスを送信するためにマイクロ波エアインターフェイスのための帯域幅要件情報を計算する方法は、変調モードに応じて帯域幅要件情報を計算する方法に類似する。このような方法はすべて従来技術であるので、ここでは繰り返し説明しない。
【００５６】
動的帯域幅要求を受信した後、マルチサービス・トランスポート・ネットワークの主制御ユニットは、マイクロ波エアインターフェイスがサービスを送信するために、動的帯域幅要求に含まれる帯域幅要件情報に応じて、マルチサービス・トランスポート・ネットワーク内のマイクロ波エアインターフェイスによって占有された伝送帯域幅をマイクロ波エアインターフェイスに割り付け、動的帯域幅割り付け情報を通じて伝送帯域幅情報を送出する。マルチサービス・トランスポート・ネットワークの主制御ユニットは、動的帯域幅要求中の帯域幅要件情報に応じて、マルチサービス・トランスポート・ネットワークの他のノードによってマイクロ波エアインターフェイスへ送出されたサービス・データによって占有された伝送帯域幅をさらに制御することができ、その結果、マルチサービス・トランスポート・ネットワークの他のノードによってマイクロ波エアインターフェイスへ送出されたサービス・データによって使用される伝送帯域幅は、マイクロ波エアインターフェイス上で利用できる最大サービス伝送帯域幅より大きくない。
【００５７】
帯域幅要求ユニットは、動的帯域幅要求に応じて、マルチサービス・トランスポート・ネットワークの主制御ユニットによって送出された、マルチサービス・トランスポート・ネットワーク内のマイクロ波エアインターフェイスにより占有された伝送帯域幅に関する情報を含む動的帯域幅割り付け情報を受信し、マイクロ波トリビュタリユニットの帯域幅割り付けユニットは、帯域幅要求ユニットによって受信された動的帯域幅情報に応じてマイクロ波エアインターフェイスによって使用される伝送帯域幅を調節し、制御し、調節された伝送帯域幅に応じて、アップリンクサービス・データをマルチサービス・トランスポート・ネットワークへ伝送する。
【００５８】
本発明の実施形態において提供されるマルチサービス・トランスポート・ネットワークへのマイクロ波アクセス方法は、さらに以下を含むことがある。
【００５９】
ダウンリンク方向では、図５に示されたマイクロ波トリビュタリユニットは、マルチサービス・トランスポート・ネットワークによってマイクロ波エアインターフェイスへ伝送されたダウンリンクサービス・データにダウンリンクサービス処理を実行し、ダウンリンクサービス・データをマイクロ波信号に変換し、マイクロ波信号を送信する。ダウンリンクサービス・データをマイクロ波信号に変換するためにダウンリンクサービス・データにダウンリンクサービス・データを実行し、マイクロ波信号を送信することは、具体的には、以下を含むことがある。マイクロ波フレーム多重化モジュールは、マルチサービス・トランスポート・ネットワークによってマイクロ波エアインターフェイスへ伝送されたダウンリンクサービス・データを受信し、ダウンリンクサービス・データをマイクロ波フレーム構造をもつダウンリンクデータに変換し、変調モジュールは、マイクロ波フレーム構造をもつダウンリンクデータをダウンリンク中間周波数信号に変調し、マイクロ波送信モジュールは、変調モジュールによって取得されたダウンリンク中間周波数信号をダウンリンクマイクロ波信号に変換し、ダウンリンクマイクロ波信号を送信する。
【００６０】
ダウンリンクサービス・データにダウンリンクサービス処理を実行するとき、マイクロ波トリビュタリユニットは、帯域幅要求ユニットによって受信された動的帯域幅割り付け情報に応じてマイクロ波エアインターフェイスに対応する変調モードおよび／または送信電力をさらに調節することもある。調節は、具体的には、以下の方法でもよい。１）帯域幅要求ユニットによって受信された動的帯域幅割り付け情報に応じて、変調モジュールは、このモジュール自体によって使用される変調モードを調節し、調節された変調モードに応じて、多重化モジュールによって取得されたマイクロ波フレーム構造をもつダウンリンクデータをダウンリンク中間周波数信号に変調し、２）帯域幅要求ユニットによって受信された動的帯域幅割り付け情報に応じて、ＩＦ／ＲＦ／ＲＯＦモジュールは、このモジュールの送信電力を調節し、調節された送信電力に応じてダウンリンクマイクロ波信号を送信し、３）帯域幅要求ユニットによって受信された動的帯域幅割り付け情報に応じて、変調モジュールは、このモジュール自体によって使用される変調モードを調節し、その一方で、マイクロ波送信モジュールは、このモジュールの送信電力を調節する。
【００６１】
動的帯域幅割り付け情報に応じて変調モードを調節することは、以下の方法を使用することがあるがこれらに限定されることはなく、１）マイクロ波エアインターフェイスによって占有され、動的帯域幅割り付け情報中に指示された伝送帯域幅が予め構成された伝送帯域幅または割り付けられた伝送帯域幅より大きいとき、変調モジュールによって使用された変調モジュールが調節され、高次変調モードを使用することが可能であり、たとえば、変調モジュールによって使用された元の変調モードは、ＱＰＳＫ変調モードであり、変調モジュールは、大帯域幅送信の要件を満たすために調節後に１６ＱＡＭ変調モードを使用する。２）マイクロ波エアインターフェイスによって占有され、動的帯域幅割り付け情報中に指示された伝送帯域幅が予め構成された伝送帯域幅または割り付けられた伝送帯域幅より小さいとき、変調モジュールによって使用された変調モードが調節され、高次変調モードを使用することが可能であり、たとえば、変調モジュールによって使用された元の変調モードは、１６ＱＡＭ変調モードであり、変調モジュールは、送信帯域幅要件を満たすために調節後にＱＰＳＫ変調モードを使用し、酷い天候およびマイクロ波エアインターフェイス送信の可用性に対抗してマイクロ波伝送の能力を高める。
【００６２】
動的帯域幅割り付け情報に応じて送信電力を調節することは、以下の方法を使用することがあるがこれらの方法に限定されることはない。１）マイクロ波エアインターフェイスによって占有され、動的帯域幅割り付け情報中に指示された伝送帯域幅が予め構成された伝送帯域幅または割り付けられた伝送帯域幅より大きいとき、ダウンリンクマイクロ波信号を送信するＩＦ／ＲＦ／ＲＯＦモジュールによって使用される送信電力は、送信帯域幅要件が満たされる条件の下でマイクロ波エアインターフェイスのリンク可用性を高めるために増大される。２）マイクロ波エアインターフェイスによって占有され、動的帯域幅割り付け情報中に指示された伝送帯域幅が予め構成された伝送帯域幅または割り付けられた伝送帯域幅より小さいとき、ダウンリンクマイクロ波信号を送信するＩＦ／ＲＦ／ＲＯＦモジュールによって使用される送信電力は、送信帯域幅要件が満たされる条件の下で隣接するマイクロ波エアインターフェイス上の干渉を低減するために削減される。
【００６３】
動的帯域幅割り付け情報に応じて変調モードおよび送信電力を同時に調節することは、以下の方法を使用することがあるがこれらの方法に限定されることはない。１）マイクロ波エアインターフェイスによって占有され、動的帯域幅割り付け情報中に指示された伝送帯域幅が予め構成された伝送帯域幅または割り付けられた伝送帯域幅より大きいとき、変調モジュールは、高次変調モードを使用し、ＩＦ／ＲＦ／ＲＯＦモジュールは、伝送帯域幅要件を満たし、マイクロ波エアインターフェイスのリンク可用性を高めるために、ダウンリンクマイクロ波信号を送信するため使用される送信電力を増大する。２）マイクロ波エアインターフェイスによって占有され、動的帯域幅割り付け情報中に指示された伝送帯域幅が予め構成された伝送帯域幅または割り付けられた伝送帯域幅より小さいとき、変調モジュールは、低次変調モードを使用し、ＩＦ／ＲＦ／ＲＯＦモジュールは、送信帯域幅要件が満たされる条件の下で隣接するマイクロ波エアインターフェイス上の干渉を低減するために、ダウンリンクマイクロ波信号を送信するため使用される送信電力を削減する。
【００６４】
上記実施形態についての前述の説明では、マルチサービス・トランスポート機器内のクロスコネクト／スイッチユニットのインターフェイスがＧＥＭインターフェイスであることを考慮すると、マイクロ波トリビュタリユニットの設計は、Ｔ−ＣＯＮＴ適応ユニットおよびＴ−ＣＯＮＴ適応解除ユニットを含まない。マルチサービス・トランスポート機器内のクロスコネクト／スイッチユニットがＴ−ＣＯＮＴインターフェイスであるとき、マイクロ波トリビュタリユニットは、図５に示されるように、Ｔ−ＣＯＮＴ適応ユニットおよびＴ−ＣＯＮＴ適応解除ユニットを含むことが必要である。Ｔ−ＣＯＮＴ適応ユニットは、ＧＥＭフレームフォーマット中のアップリンクサービス・データをＴ−ＣＯＮＴフレームフォーマット内のアップリンクサービス・データに適応させ、適応したデータをクロスコネクト／スイッチユニットへ送出する。Ｔ−ＣＯＮＴ適応ユニットは、クロスコネクト／スイッチユニットによってマイクロ波エアインターフェイスへ伝送されたアップリンクサービス・データをＧＥＭフレームフォーマット中のアップリンクサービス・データから適応解除させる。
【００６５】
図６は、本発明の実施形態におけるマルチサービス・トランスポート機器内のマイクロ波トリビュタリユニットの別の構造を示す。図６に示されたマイクロ波トリビュタリユニットは、図５に示されたマイクロ波トリビュタリユニットと比べて、ＧＥＭ適応モジュールおよびＧＥＭ適応解除モジュールだけが追加される。図６に示されたマイクロ波トリビュタリユニットは、ピアマイクロ波機器のマイクロ波フレーム多重化／逆多重化モジュールがＧＥＭカプセル化なしに、ＰＤＨタイプのサービス・データ、および、ＥＴＨタイプのサービス・データのようなサービス・データを送受信するシナリオに適用可能である。ＧＥＭ適応モジュールは、マイクロ波フレーム多重化モジュールによって取得されたＰＤＨおよびＥＴＨのようなタイプのアップリンクサービス・データをＧＥＭフレームフォーマット内のアップリンクサービス・データにカプセル化し、ＧＥＭ適応解除モジュールは、マルチサービス・トランスポート・ネットワークによって伝送されたＧＥＭフレームフォーマット中のダウンリンクサービス・データまたはＴ−ＣＯＮＴ適応解除ユニットによって取得されたＧＥＭフレームフォーマット中のダウンリンクサービス・データをＰＤＨおよびＥＴＨのようなタイプのダウンリンクサービス・データにカプセル化解除する。他のモジュールの機能は、図５に示された対応するモジュールの機能と同じであり、ここでは繰り返し説明しない。
【００６６】
本発明の実施形態では、マイクロ波エアインターフェイスによって送信されたデータを処理するマイクロ波トリビュタリユニットがマルチサービス・トランスポート機器に追加される。マイクロ波エアインターフェイスの性能パラメータおよび／または状態パラメータの変化が検出されたとき、動的帯域幅要求が変化した性能パラメータおよび／または変化した状態パラメータに応じて生成され、動的帯域幅要求は、マルチサービス・トランスポート・ネットワークの主制御ユニットへ送出される。マルチサービス・トランスポート・ネットワークの主制御ユニットは、動的帯域幅要求に応じて、マルチサービス・トランスポート・ネットワーク内のマイクロ波エアインターフェイスによって占有された伝送帯域幅に関する情報を含む動的帯域幅割り付け情報を送出する。マイクロ波トリビュタリユニットは、アップリンクサービス・データを取得するためにアップリンクマイクロ波信号にアップリンクサービス処理を実行し、動的帯域幅割り付け情報に応じてアップリンクサービス・データをマルチサービス・トランスポート・ネットワークへ送出する。これは、マイクロ波エアインターフェイスによって送信されたサービスのボリュームに応じてマルチサービス・トランスポート・ネットワーク内のマイクロ波エアインターフェイスによって占有された伝送帯域幅のリアルタイム変更を実施し、マルチサービス・トランスポート・ネットワークの帯域幅の使用法をある程度まで改善し、マイクロ波送信の可用性を改善する。
【００６７】
さらに、マイクロ波トリビュタリユニットは、ＧＴＨ機器の機能モジュラーボードとして働き、ＧＴＨ機器の他の機能モジュールと通信し、その結果、マイクロ波トリビュタリユニットは、ＧＴＨ機器の一部として一様な方法で管理し制御することが可能であり、サービス提供および故障箇所探知を実現し易くさせ、維持費および使用費を削減する。
【００６８】
本発明がソフトウェアと必要な汎用ハードウェアとによって、または、完全にハードウェアによって実施できることは、当業者に理解できる。しかし、多くの状況では、前者の実施の方が優れている。このような理解に基づいて、本発明において提供された技術的解決法によって現在の技術に対して行われた全部または一部の貢献は、ソフトウェアによって実行することが可能である。ソフトウェアは、コンピュータのフロッピー（登録商標）ディスク、ハードディスク、および、コンパクトディスクのような読み取り可能な記憶媒体に記憶されてもよい。ソフトウェアは、すべての実施形態で提供された方法を実施するためにコンピュータ（パーソナルコンピュータ、サーバ、またはネットワーク機器）に命令するため使用されるいくつかの命令を含む。前述の詳細は、本発明の例示的実施形態に過ぎない。しかし、発明は、このような実施形態に限定されない。当業者が発明の趣旨および範囲から逸脱することなく発明に様々な変更および変形をなし得ることは明らかである。発明は、変更および変形が以下の請求項または請求項の均等物によって定義された保護の範囲に含まれるならば、これらの変更および変形を網羅することが意図されている。
【図１】
2013516806.tif 000003
【図２】
2013516806.tif 000004
【図３】
2013516806.tif 000005
【図４】
2013516806.tif 000006
【図５】
2013516806.tif 000007
【図６】
2013516806.tif 000008
【手続補正書】
【提出日】平成24年8月10日(2012.8.10)
【手続補正１】
【補正対象書類名】明細書
【補正対象項目名】０００１
【補正方法】削除
【補正の内容】
【手続補正２】
【補正対象書類名】明細書
【補正対象項目名】０００４
【補正方法】変更
【補正の内容】
【０００４】
ネットワーク層分離の減少と、中間処理の簡単化と、複数のタイプのサービス・データ上の管理および伝達の均一性とを特色として、近年出現したマルチサービス・トランスポート・ネットワークは、サービス・トランスポートにおいて果たす役割の重要性が増している。マイクロ波伝送とマルチサービス・トランスポート・ネットワークとをこれらの利点を活かすために組み合わせる方法は、業界の関心事になる。近年、マイクロ波機器およびＧＴＨ（ＧＥＭベース・トランスポート階層）機器は、独立した機器である。２台の機器間のサービス送信は、サービスランディング接続を使用し、すなわち、時分割多重化（ＴＤＭ）サービスがマイクロ波機器のマイクロ波フレームを解析することによって達成される。このとき、ＴＤＭサービスは、マルチサービス・トランスポート・ネットワーク機器のサービスインターフェイス（たとえば、イーサネット（登録商標）サービス用のＥｔｈインターフェイス）と適合するサービスフォーマット（ＥＴＨパケット）にカプセル化され、マルチサービス・トランスポート・ネットワーク機器へ送信される。マルチサービス・トランスポート・ネットワーク機器は、ＥＴＨパケットから原始ＴＤＭサービスをカプセル化解除し、ＴＤＭサービスを別の処理モジュールへ送出する。逆処理がマルチサービス・トランスポート・ネットワーク機器からマイクロ波機器へ送信されたサービスに実行される。ＴＤＭサービスがカプセル化解除され、再びカプセル化される先行処理は、「サービスランディング」と称される。
【手続補正３】
【補正対象書類名】明細書
【補正対象項目名】００１５
【補正方法】変更
【補正の内容】
【００１５】
マイクロ波エアインターフェイスによって送信されたマイクロ波データを処理する機能モジュール、すなわち、マイクロ波トリビュタリユニットがマルチサービス・トランスポート機器（ＧＴＨ）に追加され、マルチサービス・トランスポート機器の他の機能モジュールと通信することがある。マイクロ波エアインターフェイスは、マイクロ波データを送信するマイクロ波物理リンクである。性能パラメータは、信号対雑音比、パケット損失率、ビット誤り率、およびＭＳＥ（Ｍｅａｎ  Ｓｑｕａｒｅ  Ｅｒｒｏｒ）でもよいがこれらに限定されることはなく、状態パラメータは、送信電力、受信電力、変調／復調モード、サービスタイプ、およびサービス・データ・ボリュームでもよいがこれらに限定されることはない。
【手続補正４】
【補正対象書類名】明細書
【補正対象項目名】００３５
【補正方法】変更
【補正の内容】
【００３５】
マイクロ波トリビュタリユニット２３がダウンリンクサービス・データにダウンリンクサービス処理を実行するときに、動的帯域幅割り付け情報に従うマイクロ波エアインターフェイスに対応する変調モードおよび／または送信電力の調節は、具体的には、以下の通りである。１）帯域幅要求ユニット２２によって受信された動的帯域幅割り付け情報に応じて、変調モジュール２３６は、この変調モジュールの変調モードを調節し、調節された変調モードに応じて、多重化モジュール２３５によって取得されたマイクロ波フレーム構造をもつダウンリンクデータをダウンリンク中間周波数信号に変調し、２）帯域幅要求ユニット２２によって受信された動的帯域幅割り付け情報に応じて、マイクロ波送信モジュール２３７は、このマイクロ波送信モジュールの送信電力を調節し、調節された送信電力に応じてダウンリンクマイクロ波信号を送信し、３）帯域幅要求ユニット２２によって受信された動的帯域幅割り付け情報に応じて、変調モジュール２３６は、この変調モジュールの変調モードを調節し、その一方で、マイクロ波送信モジュール２３７は、このマイクロ波送信モジュールの送信電力を調節する。
【手続補正５】
【補正対象書類名】明細書
【補正対象項目名】００３９
【補正方法】変更
【補正の内容】
【００３９】
ＧＴＨ機器は、すべてのタイプのトリビュタリユニット、たとえば、ＳＤＨ（Ｓｙｎｃｈｒｏｎｏｕｓ  Ｄｉｇｉｔａｌ  Ｈｉｅｒａｒｃｈｙ）インターフェイスのトリビュタリユニットと、ＰＤＨ（Ｐｌｅｉｓｏｃｈｒｏｎｏｕｓ  Ｄｉｇｉｔａｌ  Ｈｉｅｒａｒｃｈｙ）インターフェイスのトリビュタリユニットとを有する。すべてのトリビュタリユニットは、マルチサービス・トランスポート・ネットワークへの対応するタイプのサービスのアクセスを実施する。図４に示されるように、すべてのタイプのトリビュタリユニットがサービスをＧＴＨ機器の他のモジュールに送信するとき、ＧＥＭ（Ｇ−ＰＯＮ  Ｅｎｃａｐｓｕｌａｔｉｏｎ  Ｍｅｔｈｏｄ）を使用してカプセル化されたサービス・データ、または、Ｔ−ＣＯＮＴ（Ｔｒａｎｓｍｉｓｓｉｏｎ  Ｃｏｎｔａｉｎｅｒ）フォーマットのデータが使用されてもよく、実際に使用されるデータは、ＧＴＨ機器のクロスコネクト／スイッチユニットに応じて決定されてもよい。
【手続補正６】
【補正対象書類名】明細書
【補正対象項目名】００４１
【補正方法】変更
【補正の内容】
【００４１】
図５は、マイクロ波トリビュタリユニットの概略構成図を示す。マイクロ波トリビュタリユニットは、ＩＦ／ＲＦ／ＲＯＦ（Ｉｎｔｅｒｍｅｄｉａｔｅ  Ｆｒｅｑｕｅｎｃｙ／Ｒａｄｉｏ  Ｆｒｅｑｕｅｎｃｙ／Ｒａｄｉｏ  ｏｖｅｒ  Ｆｉｂｅｒ）モジュールと、復調モジュールと、マイクロ波フレーム逆多重化モジュールと、帯域幅制御モジュールと、マイクロ波多重化モジュールと、変調モジュールとを含む。
【手続補正７】
【補正対象書類名】明細書
【補正対象項目名】００４５
【補正方法】変更
【補正の内容】
【００４５】
アップリンク方向では、マイクロ波フレーム逆多重化モジュールは、アップリンクサービス・データを取得するために復調モジュールによって送出されたすべてのデジタル信号のアップリンクマイクロ波フレームを逆多重化し、取得されたアップリンクサービス・データをマルチサービス・トランスポート機器のクロスコネクト／スイッチユニットへ送出する。クロスコネクト／スイッチユニットは、アップリンクサービス・データをマルチサービス・トランスポート・ネットワークへ伝送する。その結果、マルチサービス・トランスポート・ネットワークへのマイクロ波アクセスが実施される。マイクロ波フレーム逆多重化モジュールは、ＧＥＭフレームフォーマットまたはＴ−ＣＯＮＴフレームフォーマットのアップリンクサービス・データでもよいアップリンクサービス・データを取得するためにアップリンクマイクロ波フレームを逆多重化する。アップリンクサービス・データのフォーマットは、ピアマイクロ波機器がアップリンクマイクロ波サービス・データを送出したときに使用されるカプセル化フォーマットに依存する。ピアマイクロ波機器がＧＥＭフレームフォーマットでアップリンクマイクロ波サービス・データを送出する場合、マイクロ波フレーム逆多重化モジュールによる逆多重化後に取得されたアップリンクサービス・データは、ＧＥＭフレームフォーマットであり、ピアマイクロ波機器がＴ−ＣＯＮＴフレームフォーマットでアップリンクマイクロ波サービス・データを送出する場合、マイクロ波フレーム逆多重化モジュールによる逆多重化後に取得されたアップリンクサービス・データは、Ｔ−ＣＯＮＴフレームフォーマットである。
【手続補正８】
【補正対象書類名】明細書
【補正対象項目名】００５３
【補正方法】変更
【補正の内容】
【００５３】
ピアマイクロ波機器によって送出されたアップリンクマイクロ波信号を受信するとき、ＩＦ／ＲＦ／ＲＯＦモジュールは、マイクロ波エアインターフェイスに対応する受信電力を検出することができ、受信アップリンクマイクロ波信号を復調するとき、復調モジュールは、変調／復調モード、ビット誤り率、およびＭＳＥ（Ｍｅａｎ  Ｓｑｕａｒｅｄ  Ｅｒｒｏｒ）といったマイクロ波エアインターフェイスの対応するパラメータを検出することができる。復調によって取得されたデータにマイクロ波フレーム逆多重化を実行した後、マイクロ波フレーム逆多重化モジュールは、マイクロ波エアインターフェイスによって送信されたサービス・データを取得し、このサービス・データに応じて、マイクロ波逆多重化モジュールは、サービス・データ・ボリューム、サービスタイプ、およびパケット損失率を含むパラメータを検出することができる。
【国際調査報告】
2013516806.tif 000009
2013516806.tif 000010
2013516806.tif 000011
2013516806.tif 000012